(57)【特許請求の範囲】
【請求項１】
所定の配信サービスエリアヘデータ配信を要求する移動局装置およびデータ配信先の移動局装置をそれぞれ配下に収容する基地局装置と、当該基地局装置と連係可能な他の基地局装置とを含む複数の基地局装置間で基地局間ネットワークを形成する基地局装置であって、
データ配信を要求する前記移動局装置が指定する、前記基地局間ネットワーク内の配信サービスエリアの指定範囲を示す指定範囲情報を、前記基地局間ネットワークを経由して前記基地局装置から他の基地局装置へ送信する指定範囲送信処理と、
前記基地局装置が送信した指定範囲情報に対する前記配信サービスエリア内の他の基地局装置からの応答を検出する検出処理と、
前記基地局装置が送信した指定範囲情報に応答した前記配信サービスエリア内の他の基地局装置がカバーするセルのセル情報を送信する処理であって、前記セル情報を、前記配信サービスエリア内の移動局装置への配信データを前記指定範囲情報に応答した基地局装置に配信するデータ配信装置に対し、前記基地局間ネットワークを経由して送信するセル情報送信処理と、
を実行する制御部を備えることを特徴とする基地局装置。
【請求項２】
前記制御部はさらに、他の基地局装置から指定範囲情報を受信した場合に、前記基地局装置がカバーするセルが受信された指定範囲内にあるか否かを判定する判定処理と、
前記基地局装置がカバーするセルが他の基地局装置から受信した指定範囲内にある場合に、前記指定情報の送信元の他の基地局装置へ前記基地局間ネットワークを経由して応答する応答処理と、
を実行することを特徴とする請求項１に記載の基地局装置。
【請求項３】
前記制御部はさらに、隣接基地局装置から受信した前記指定範囲情報を他の隣接基地局装置に転送する転送処理を実行し、
前記指定範囲情報は、基地局装置間で転送されたホップ数を示し、
前記判定処理において前記制御部は、前記指定範囲情報のホップ数に応じて前記基地局装置がカバーするセルが指定範囲内にあるか否かを判定することを特徴とする請求項２に記載の基地局装置。
【請求項４】
前記指定範囲情報は、前記指定範囲の基準位置の位置情報と指定範囲の半径を示す距離情報を含み、
前記判定処理において前記制御部は、前記基地局装置の位置と前記基準位置との間の距離と指定範囲の半径に応じて、前記基地局装置がカバーするセルが指定範囲内にあるか否かを判定することを特徴とする請求項２に記載の基地局装置。
【請求項５】
所定の配信サービスエリアヘデータ配信を要求する移動局装置およびデータ配信先の移動局装置をそれぞれ配下に収容する基地局装置および当該基地局装置と連係可能な他の基地局装置を含む複数の基地局装置間で形成される基地局間ネットワークと、データ配信装置とを含み、
前記基地局装置は、
データ配信を要求する前記移動局装置が指定する、前記基地局間ネットワーク内の配信サービスエリアの指定範囲を示す指定範囲情報を、前記基地局間ネットワークを経由して前記基地局装置から他の基地局装置へ送信する指定範囲送信処理と、
前記基地局装置が送信した指定範囲情報に対する前記配信サービスエリア内の他の基地局装置からの応答を検出する検出処理と、
前記基地局装置が送信した指定範囲情報に応答した前記配信サービスエリア内の他の基地局装置がカバーするセルのセル情報を送信する処理であって、前記セル情報を、前記配信サービスエリア内の移動局装置への配信データを前記指定範囲情報に応答した基地局装置に配信するデータ配信装置に対し、前記基地局間ネットワークを経由して送信するセル情報送信処理と、
を実行する制御部を備え、
前記データ配信装置は、前記基地局間ネットワークを経由して前記配信サービスエリア内の移動局装置への配信データを該移動局装置と接続する基地局装置に配信する処理を実行する制御部を備えることを特徴とする通信システム。
【請求項６】
前記基地局装置の制御部はさらに、他の基地局装置から指定範囲情報を受信した場合に、前記基地局装置がカバーするセルが受信された指定範囲内にあるか否かを判定する判定処理と、
前記基地局装置がカバーするセルが他の基地局装置から受信した指定範囲内にある場合に、前記指定情報の送信元の他の基地局装置へ前記基地局間ネットワークを経由して応答する応答処理と、
を実行することを特徴とする請求項５に記載の通信システム。
【請求項７】
前記データ配信装置は、
前記セルと移動局装置とを対応付ける移動局指定情報を格納する記憶部を備え、
前記セル情報が指定するセルに対して前記移動局指定情報が対応付ける移動局装置に、前記配信データを送信する請求項５又は６に記載の通信システム。
【請求項８】
所定の配信サービスエリアヘデータ配信を要求する移動局装置およびデータ配信先の移動局装置をそれぞれ配下に収容する基地局装置と、当該基地局装置と連係可能な他の基地局装置とを含む複数の基地局装置間で基地局間ネットワークを形成する基地局装置が備える制御部に、
データ配信を要求する前記移動局装置が指定する、前記基地局間ネットワーク内の配信サービスエリアの指定範囲を示す指定範囲情報を、前記基地局間ネットワークを経由して前記基地局装置から他の基地局装置へ送信する指定範囲送信処理と、
前記基地局装置が送信した指定範囲情報に対する前記配信サービスエリア内の他の基地局装置からの応答を検出する検出処理と、
前記基地局装置が送信した指定範囲情報に応答した前記配信サービスエリア内の他の基地局装置がカバーするセルのセル情報を送信する処理であって、前記セル情報を、前記配信サービスエリア内の移動局装置への配信データを前記指定範囲情報に応答した基地局装置に配信するデータ配信装置に対し、前記基地局間ネットワークを経由して送信するセル情報送信処理と、
を実行させるデータ配信方法。
【請求項９】
他の基地局装置から指定範囲情報を受信した場合に、前記基地局装置がカバーするセルが受信された指定範囲内にあるか否かを判定する判定処理と、
前記基地局装置がカバーするセルが他の基地局装置から受信した指定範囲内にある場合に、前記指定情報の送信元の他の基地局装置へ前記基地局間ネットワークを経由して応答する応答処理と、
をさらに前記制御部に実行させることを特徴とする請求項８に記載のデータ配信方法。
【発明の詳細な説明】
【技術分野】
【０００１】
本明細書で論じられる実施態様は、移動局装置に対するデータ配信技術に関する。
【背景技術】
【０００２】
設定されたサービスエリア内の移動局装置に対してデータを配信するデータ配信サービスが知られている。このようなサービスを提供するシステムとして、例えば、広告事業者が任意のゾーンを設定し、このゾーンに対して情報を指定する情報配信システムが知られている。このシステムでは、情報配信サーバ１００は、ゾーン内に存在する移動体端末に対して情報を配信する。
【先行技術文献】
【特許文献】
【０００３】
【特許文献１】特開２００２−１３５８４４号公報
【非特許文献】
【０００４】
【非特許文献１】３ＧＰＰ  ＴＳ  ３６．３００，  ２０１０年６月
【発明の概要】
【発明が解決しようとする課題】
【０００５】
従来のデータ配信システムでは、移動局装置からデータが配信されるのではなく、無線アクセスネットワークよりも上位の、コアネットワークや公衆ネットワーク等のネットワークを経由して接続されるサーバ装置からデータが配信されている。したがって、配信サービスの運営者がサービスエリアを設定する場合には、データが配信される配信エリアの画定作業をオペレータが行っており、サービスエリアの設定が煩雑であった。
【０００６】
開示の装置及び方法は、サービスエリア内の移動局装置にデータを配信するデータ配信システムにおいて、サービスエリアの設定処理を容易にすることを目的とする。
【課題を解決するための手段】
【０００７】
装置の一観点によれば、指定範囲を示す指定範囲情報を、基地局間ネットワークを経由して基地局装置から他の基地局装置へ送信する指定範囲送信処理と、基地局装置が送信した指定範囲情報に対する他の基地局装置の応答を検出する検出処理と、基地局装置が送信した指定範囲情報に応答する他の基地局装置がカバーするセルのセル情報を、移動局装置への配信データを基地局装置に配信するデータ配信装置へ、基地局間ネットワークを経由して送信するセル情報送信処理を実行する制御部を備える。
【０００８】
装置の他の一観点によれば、複数の基地局装置と、データ配信装置と、複数の基地局装置及びデータ配信装置とを接続する基地局間ネットワークを含む通信システムが与えられる。基地局装置は、指定範囲を示す指定範囲情報を、基地局間ネットワークを経由して基地局装置から他の基地局装置へ送信する指定範囲送信処理と、基地局装置が送信した指定範囲情報に対する他の基地局装置の応答を検出する検出処理と、基地局装置が送信した指定範囲情報に応答する他の基地局装置がカバーするセルのセル情報を、基地局間ネットワークを経由してデータ配信装置へ送信するセル情報送信処理を実行する制御部を備える。データ配信装置は、基地局間ネットワークを経由して移動局装置への配信データを基地局装置に配信する処理を実行する制御部を備える。
【０００９】
方法の一観点によれば、データ配信方法が与えられる。データ配信方法は、基地局間ネットワークを形成する基地局装置が備える制御部に、指定範囲を示す指定範囲情報を、基地局間ネットワークを経由して基地局装置から他の基地局装置へ送信する指定範囲送信処理と、基地局装置が送信した指定範囲情報に対する他の基地局装置の応答を検出する検出処理と、基地局装置が送信した指定範囲情報に応答する他の基地局装置がカバーするセルのセル情報を、移動局装置への配信データを基地局装置に配信するデータ配信装置へ、基地局間ネットワークを経由して送信するセル情報送信処理を実行させる。
【発明の効果】
【００１０】
本件開示の装置又は方法によれば、サービスエリア内の移動局装置にデータを配信するデータ配信システムにおけるサービスエリアの設定処理が容易になる。
【図面の簡単な説明】
【００１１】
【図１】通信システムの全体構成例を示す図である。
【図２】スレーブ基地局の配置例の説明図である。
【図３】サービスエリア構築処理の第１例及びデータ配信処理の第１例の説明図である。
【図４】基地局装置のハードウエア構成の一例を示す図である。
【図５】マスタ基地局の構成例を示すブロック図である。
【図６】スレーブ基地局の構成例を示すブロック図である。
【図７】移動局指定情報の例を示す図である。
【図８】データ配信処理の第２例の説明図である。
【図９】サービスエリア構築処理の第２例の説明図である。
【図１０】サービスエリア構築処理の第３例の説明図である。
【図１１】（Ａ）及び（Ｂ）はサービスエリア構築処理の第４例の説明図である。
【発明を実施するための形態】
【００１２】
＜１．第１実施例＞
＜１．１．システム構成＞
以下、添付する図面を参照して本発明の実施例について説明する。図１は、通信システムの全体構成例を示す図である。通信システム１は、複数の基地局装置２及び３ａ〜３ｅにより形成される基地局間ネットワークと、これら基地局装置２及び３ａ〜３ｅと無線通信を行う移動局装置５及び６ａ〜６ｃを備える。
【００１３】
通信システム１において、移動局装置５の加入者はサービスエリアを設定し、このサービスエリア内に存在する移動局装置６ａ〜６ｃに情報を配信する情報配信サービスを提供する。情報配信サービスにて移動局装置６ａ〜６ｃに配信される情報には、例えば、サービスエリアに関連する情報が含まれる。このような情報は、例えばサービスエリア内の店舗等のサービス施設、イベント及び催し物に関するサービス情報でよい。サービス情報は、例えば、これらのサービス施設、イベント及び催し物に関する広告情報やクーポン情報であってよい。また、移動局装置６ａ〜６ｃに配信される情報は、必ずしもサービスエリアに関連する情報でなくともよい。以下の説明において、この情報配信サービスにて配信される情報を「配信データ」と表記することがある。
【００１４】
情報配信サービスの運営者である移動局装置５の加入者は、移動局装置５から配信データを通信システム１へ送信する。通信システム１は、移動局装置５から受信した配信データを配信するための配信機能を有するマスタ基地局装置２を有する。スレーブ基地局装置３ａ〜３ｅは、管轄セル内の移動局装置５から送信される配信データを受信してマスタ基地局装置２に転送する。スレーブ基地局装置３ａ〜３ｅは、マスタ基地局装置２から配信される配信データを受信すると、サービスエリアに含まれる管轄セル内の移動局装置６ａ〜６ｃに転送する。
【００１５】
なお、以下の説明及び添付する図面において「マスタ基地局装置」、「スレーブ基地局装置」、「基地局装置」及び「移動局装置」を、それぞれ「マスタ基地局」、「スレーブ基地局」、「基地局」及び「移動局」と表記することがある。また、スレーブ基地局３ａ〜３ｅ、移動局６ａ〜６ｃを総称して「スレーブ基地局３」、「移動局６」と表記することがある。
【００１６】
＜１．２．サービスエリア構築処理＞
続いて、通信システム１において配信データが配信されるサービスエリアの構築処理の第１例について説明する。図２は、基地局間ネットワークにおけるスレーブ基地局の配置例の説明図である。スレーブ基地局３ｘは、スレーブ基地局３ａ〜３ｃと有線通信回線で接続されている。スレーブ基地局３ｘとスレーブ基地局３ａ〜３ｃとの間の途中の経路には他の基地局は存在せず、スレーブ基地局３ｘとスレーブ基地局３ａ〜３ｃの夫々とは隣接する基地局である。
【００１７】
同様に、スレーブ基地局３ｂは、スレーブ基地局３ｂａ〜３ｂｃと有線通信回線で接続され、スレーブ基地局３ｂとスレーブ基地局３ｂａ〜３ｂｃの夫々とは隣接する基地局である。また、スレーブ基地局３ｂｂは、スレーブ基地局３ｂｂａ及び３ｂｂｂと有線通信回線で接続され、スレーブ基地局３ｂｂとスレーブ基地局３ｂｂａ及びｂｂｂの夫々とは隣接する基地局装である。このような基地局間の有線接続によって基地局間ネットワークが形成される。なお、基地局間の有線接続は、例えば、インターネットプロトコル回線や、３ＧＰＰ（Third Generation Partnership Project）−ＬＴＥ（Long Term Evolution）にて標準化されるＸ２インタフェースであってよい。
【００１８】
図３は、図２に示す配置におけるサービスエリア構築処理の第１例及びデータ配信処理の第１例の説明図である。なお、他の実施態様においては、下記のオペレーションを「ステップ」と読み替えてもよい。
【００１９】
オペレーションＡＡにおいて移動局５は、移動局５が存在するセルをカバーするスレーブ基地局３ｘへエリア情報転送要求を送信する。エリア情報転送要求は、配信データを配信するサービスエリアの範囲を特定するための情報を、マスタ基地局２へ転送することを要求するメッセージである。エリア情報転送要求には、サービスエリアの範囲を特定するための情報が含まれている。この情報は、独立してサービスエリアの範囲の特定ができる範囲情報であってもよく、あるいは、所定の決定方法に従ってサービスエリアの範囲を定めるための基礎情報であってもよい。
【００２０】
本実施例のエリア情報転送要求は、サービスエリアの範囲を定めるための基礎情報として、隣接基地局同士の間で順次転送されるメッセージの上限ホップ数を示す情報を含む。エリア情報転送要求を移動局５から受信したスレーブ基地局３ｘを起点として転送されるメッセージのホップ数が上限ホップ数以下となる範囲が、サービスエリアの範囲として定められる。
【００２１】
なお、本明細書において用語「ホップ数」は、隣接基地局間で転送されるメッセージが隣接基地局間で伝送された回数を示す。例えば、メッセージが、スレーブ基地局３ｘから隣接するスレーブ基地局３ｂへと送信され、スレーブ基地局３ｂから隣接するスレーブ基地局３ｂｂへと送信された場合には、このメッセージのホップ数は「２」である。また、本実施例ではホップ数の上限数は「２」である場合を仮定するが、ホップ数の上限数は実施例に応じて変更してよい。
【００２２】
オペレーションＡＢにおいてスレーブ基地局３ｘは、基地局間ネットワークを経由してエリア情報転送要求をマスタ基地局２へ転送する。オペレーションＡＣにおいてマスタ基地局２は、移動局５からエリア情報転送要求を受信したスレーブ基地局３ｘへ、基地局間ネットワークを経由してエリア構築要求を送信する。以下の説明において、エリア構築要求を受信するスレーブ基地局を「基準スレーブ基地局」と表記することがある。エリア構築要求は、基準スレーブ基地局３ｘに対して、エリア情報転送要求で特定されたサービスエリアの範囲に含まれるセルをカバーする基地局の決定を要求する。
【００２３】
基準スレーブ基地局３ｘにサービスエリアの範囲を知らせるために、エリア構築要求は、サービスエリアの範囲を特定する情報を含んでいてよい。エリア情報転送要求と同様に、エリア構築要求は、独立してサービスエリアの範囲の特定ができる範囲情報を含んでもよく、あるいは、所定の決定方法に従ってサービスエリアの範囲を定めるための基礎情報を含んでもよい。本実施例のエリア構築要求は、サービスエリアの範囲を定めるための基礎情報としてメッセージの上限ホップ数を含む。
【００２４】
オペレーションＡＤにおいて基準スレーブ基地局３ｘは、基地局間ネットワークを経由して、隣接するスレーブ基地局３ａ〜３ｃへ指定範囲情報を送信する。オペレーションＡＥにおいてスレーブ基地局３ｂは、基地局間ネットワークを経由して、隣接するスレーブ基地局３ｂａ〜３ｂｃへ指定範囲情報を転送する。このように指定範囲情報は、基準スレーブ基地局３ｘを起点として基地局間ネットワーク上の隣接する基地局同士の間で転送される。
【００２５】
指定範囲情報は、サービスエリアの範囲を指定する指定範囲を示す情報である。ある実施例では、指定範囲情報は、基準スレーブ基地局３ｘの位置を基準位置とするサービスエリアの範囲を指定してよい。本実施例の指定範囲情報は、基地局同士の間で転送される指定範囲情報のホップ数を示すホップ数情報を含む。本実施例のホップ数情報は、エリア情報転送要求に含まれていた上限ホップ数から、各基地局で転送された指定範囲情報のホップ数を減算した値であってよい。指定範囲情報を送信する基地局は、ホップ数情報を１ずつ減じる。
【００２６】
したがって、オペレーションＡＤにおいて基準スレーブ基地局３ｘが隣接するスレーブ基地局３ａ〜３ｃへ送信する時点のホップ数情報の値は「１」である。オペレーションＡＥにおいてスレーブ基地局３ｂが隣接するスレーブ基地局３ｂａ〜３ｂｃへ送信する時点のホップ数情報の値は「０」である。
【００２７】
指定範囲情報を受信するスレーブ基地局３ｂｂは、ホップ数情報の値が「０」であるため、指定範囲情報のホップ数が上限ホップ数に達したことを検出する。指定範囲情報のホップ数が上限ホップ数に達した場合に、スレーブ基地局３ｂｂは隣接するスレーブ基地局３ｂｂａ及び３ｂｂｂへ指定範囲情報を転送しない。
【００２８】
そしてスレーブ基地局３ｂｂは、オペレーションＡＦにおいてスレーブ基地局３ｂｂに関する基地局情報を含むメッセージを、指定範囲情報に対する応答として隣接スレーブ基地局３ｂへ送信する。この応答は、基地局間ネットワークを経由して伝送される。基地局情報は、スレーブ基地局３ｂｂの識別情報や、スレーブ基地局３ｂｂがカバーするセルの識別情報を含んでいてよい。
【００２９】
スレーブ基地局３ｂｂから応答を受信したスレーブ基地局３ｂは、オペレーションＡＧにおいて、指定範囲情報に対する応答として、スレーブ基地局３ｂｂ及びスレーブ基地局３ｂの基地局情報を含むメッセージを、隣接する基準スレーブ基地局３ｘへ送信する。スレーブ基地局３ａ及び３ｃも同様に、指定範囲情報に対する応答として、夫々の基地局情報を含むメッセージを、基準スレーブ基地局３ｘへ送信する。これらの応答も、基地局間ネットワークを経由して伝送される。
【００３０】
スレーブ基地局３ａ〜３ｃ及び３ｂｂからの応答を受信した基準スレーブ基地局３ｘは、応答に含まれるスレーブ基地局と基準スレーブ基地局３ｘの基地局情報のリストを生成する。以下の説明において、この基地局情報のリストを「エリアリスト」と表記する。エリアリストは、指定範囲情報が届いたスレーブ基地局の基地局情報のリストであって、指定範囲情報が届いた基地局がカバーするセルの範囲を、サービスエリアの範囲として定める。
【００３１】
オペレーションＡＨにおいて基準スレーブ基地局３ｘは、基地局間ネットワークを経由してエリア構築完了通知をマスタ基地局２へ送信する。エリア構築完了通知は、サービスエリアの範囲に含まれるセルをカバーする基地局の決定が完了した旨の通知であり、エリアリストを含む。エリア構築完了通知を受信したマスタ基地局２は、エリアリストを保存する。
【００３２】
なお、上記の実施例では、ホップ数情報として、指定範囲情報のホップ数をホップ数の上限数から減算した値を使用した。他の実施例の指定範囲情報は、上限ホップ数と、ホップ数自身を示すホップ数情報含んでもよい。指定範囲情報を送信する基地局はホップ数情報の値を１つ増加させ、指定範囲情報を受信する基地局３は、ホップ数情報が示す値と上限ホップ数とを比較することにより指定範囲情報のホップ数が上限数に達したことを検出する。
【００３３】
＜１．３．データ配信処理＞
続いて、図３を参照して配信データの配信時における処理を説明する。オペレーションＡＩにおいてマスタ基地局２は、基地局間ネットワークを経由して、移動局５が存在するセルをカバーするスレーブ基地局３ｘへ配信データ送信要求を送信する。配信データ送信要求は、移動局５に対して配信データの送信を要求するメッセージである。スレーブ基地局３ｘは、配信データ送信要求を移動局５へ転送する。
【００３４】
オペレーションＡＪにおいて移動局５は、配信データを送信する。配信データを受信したスレーブ基地局３ｘは、基地局間ネットワークを経由して配信データをマスタ基地局２へ転送する。オペレーションＡＫにおいてマスタ基地局２は、受信した配信データを記憶装置に格納する。
【００３５】
オペレーションＡＬにおいてマスタ基地局２は、基地局間ネットワークを経由してエリアリストに含まれるスレーブ基地局３へ配信データを配信する。配信データを受信したスレーブ基地局３は、それぞれがカバーするセル内に存在する移動局６に配信データを配信する。
【００３６】
＜１．４．ハードウエア構成＞
続いて、基地局のハードウエア構成を説明する。図４は、マスタ基地局２のハードウエア構成の一例を示す図である。マスタ基地局２は、制御回路１０と、ベースバンド処理回路１１と、無線インタフェース回路１２と、伝送路インタフェース１３と、サーバインタフェース１４と、レイヤ２スイッチ１５を備える。添付する図面においてレイヤ２スイッチを「Ｌ２ＳＷ」と表記する。
【００３７】
制御回路１０は、マスタ基地局２の全体の動作を制御する回路であり、ＣＰＵ（Central Processing Unit）２０及びメモリ２１を備える。ＣＰＵ２０は、メモリ２１に格納されるコンピュータプログラムを実行することにより、以下に説明する各種処理を行う。ベースバンド処理回路１１は、移動局装置５との間で送受信される信号のベースバンド処理を実行する。ベースバンド処理回路１１は、ＤＳＰ（Digital Signal Processor）２２と、ＤＳＰ２２によって実行されるファームウエアが格納されるメモリ２３を備える。
【００３８】
無線インタフェース回路１２は、マスタ基地局２と移動局５や移動局６との間の無線通信のためのインタフェース回路である。伝送路インタフェース１３は、マスタ基地局２が基地局間ネットワークを経由する他の基地局との通信や、その他の回線を経由する上位ノードとの通信のための通信インタフェース回路である。サーバインタフェース１４は、移動局５から取得した配信データ３１や、基準スレーブ基地局３ｘから受信したエリアリスト３２を保持するサーバ装置３０との間で通信を行うための通信インタフェース回路である。レイヤ２スイッチ１５は、制御回路１０と、ベースバンド処理回路１１と、無線インタフェース回路１２と、伝送路インタフェース１３と、サーバインタフェース１４に接続され、これらの回路の間で送受されるレイヤ２信号の交換処理を行う。
【００３９】
なお、スレーブ基地局３もマスタ基地局２と同様のハードウエア構成を有していてよい。本実施例では、スレーブ基地局３のサーバインタフェースを省略してよい。
【００４０】
＜１．５．マスタ基地局のブロック図＞
続いて、マスタ基地局２の構成要素及び各構成要素の機能を説明する。図５は、マスタ基地局２の構成例を示すブロック図である。マスタ基地局２は、ベースバンド処理部４０と、制御処理部５０を備える。メモリ２３に格納されるファームウエアをＤＳＰ２２が実行することによって、ベースバンド処理部４０により行われる処理が実行される。また、メモリ２１に格納されるコンピュータプログラムをＣＰＵ２０が実行することによって、制御処理部５０により行われる処理が実行される。なお図５は、以下の説明に関係する機能を中心として示している。このため、マスタ基地局２は図示の構成要素以外の他の構成要素を含んでいてよい。
【００４１】
ベースバンド処理部４０は、トラヒック管理部４１と、トラヒック転送部４２と、監視部４３と、秘匿処理部４４と、ＭＡＣ処理部４５と、同期処理部４６と、ページング処理部４７と、ユニット間通信部４８を備える。トラヒック管理部４１は、移動局５や６との間でトラヒックを伝送する通信ベアラを管理する。トラヒック転送部４２は、移動局５や６との間のトラヒックの転送処理を行う。監視部４３は、トラヒックの状態やマスタ基地局２がカバーするセルの状態を監視する。
【００４２】
秘匿処理部４４、ＭＡＣ処理部４５及び同期処理部４６は、それぞれ移動局５や６とマスタ基地局２との間の無線通信の秘匿処理、媒体アクセス制御処理及び同期処理を行う。ページング処理部４７は、セル内の移動局５や６に着信があった場合の呼び出し処理を行う。ユニット間通信部４８は、ベースバンド処理部４０と制御処理部５０との間の通信処理を行う。
【００４３】
制御処理部５０は、メッセージ処理部５１と、呼処理部５２と、リソース管理部５３と、接続制御部５４と、隣接基地局管理部５５と、ハンドオーバ制御部５６と、測定部５７と、装置監視部５８と、ユニット間通信部５９を備える。また、制御処理部５０は、エリア構築処理部６０と、配信データ処理部６１を備える。
【００４４】
メッセージ処理部５１は、他の基地局や上位ノードとの間のメッセージの送受信処理や及びプロトコル処理を行う。また、メッセージ処理部５１は、受信したメッセージが、制御処理部５０の構成要素５２〜５８、６１及び６２のいずれ宛のメッセージであるかを分析する分析処理を行う。
【００４５】
呼処理部５２は、マスタ基地局２を経由する呼の接続処理及び解放処理を行う。リソース管理部５３は、移動局５や６との間の無線通信に割り当てる無線リソースの管理を行う。無線接続制御部５４は、移動局５や６との間の接続関係の制御を行う。隣接基地局管理部５５は、マスタ基地局２に隣接する基地局を記憶する。ハンドオーバ制御部５６は、マスタ基地局２と隣接基地局との間の移動局５や６のハンドオーバ処理を行う。
【００４６】
測定部５７は、移動局５や６との間の通信品質の測定など各種測定をベースバンド処理部４０に指示し、その結果の分析処理を行う。装置監視部５８は、マスタ基地局２の各構成要素の状態監視処理を行う。ユニット間通信部５９は、ベースバンド処理部４０と制御処理部５０との間の通信処理を行う。
【００４７】
エリア構築処理部６０は、スレーブ基地局３ｘから送信されるエリア情報転送要求が受信された時に、移動局５によりサービスエリアを設定処理が開始されたことを検出する。エリア構築処理部６０は、エリア情報転送要求によって特定されるサービスエリアの範囲に基づいて、このサービスエリアの範囲に含まれるセルをカバーする基地局の決定を要求するエリア構築要求を生成する。エリア構築処理部６０は、スレーブ基地局３ｘにエリア構築要求を送信する。
【００４８】
エリア構築処理部６０は、スレーブ基地局３ｘから送信されるエリア構築完了通知が受信された時に、サーバ装置３０にアクセスし、エリア構築完了通知に含まれるエリアリストをサーバ装置３０に保存する。
【００４９】
配信データ処理部６１は、移動局５が存在するセルをカバーするスレーブ基地局３ｘへ配信データ送信要求を送信する。配信データ処理部６１は、スレーブ基地局３ｘから転送される配信データが受信された時に、サーバ装置３０にアクセスし、配信データをサーバ装置３０に保存する。配信データ処理部６１は、エリアリストに含まれる基地局へ配信データを配信する。
【００５０】
＜１．６．スレーブ基地局のブロック図＞
続いて、スレーブ基地局３の構成要素及び各構成要素の機能を説明する。図６は、スレーブ基地局３の構成例を示すブロック図である。スレーブ基地局３は、図５に示すマスタ基地局２と同様の構成要素を備えている。図５に示す構成要素と同様の構成要素には同一の参照符号を付し、同一の機能については説明を省略する。
【００５１】
制御処理部５０は、エリア判定処理部７０と、配信データ転送部７１を備える。エリア判定処理部７０は、管轄セル内の移動局５から送信されるエリア情報転送要求が受信された時に、エリア情報転送要求をマスタ基地局２へ転送する。エリア判定処理部７０は、マスタ基地局２から送信されたエリア構築要求が受信された場合に、エリア構築要求によって特定されるサービスエリアの範囲に基づいて、サービスエリアの範囲を指定する指定範囲情報を生成する。エリア判定処理部７０は、隣接するスレーブ基地局３に指定範囲情報を送信する。
【００５２】
一方、隣接するスレーブ基地局３から指定範囲情報を受信した場合に、エリア判定処理部７０は、本スレーブ基地局３のセルが指定範囲に含まれるか否かを判断する。本実施例では、指定範囲情報のホップ数がエリア情報転送要求で指定される上限ホップ数以下である場合に、エリア判定処理部７０は、本スレーブ基地局３のセルが指定範囲に含まれると判断し、そうでない場合には、セルが指定範囲に含まれないと判断する。本スレーブ基地局３のセルが指定範囲に含まれる場合、エリア判定処理部７０は、指定範囲情報が示すホップ数を１つ増加させ、指定範囲情報を他の隣接のスレーブ基地局３へ転送する。
【００５３】
指定範囲情報のホップ数が上限ホップ数である場合にエリア判定処理部７０は、本スレーブ基地局３の基地局情報を含んだ指定範囲情報に対する応答を、指定範囲情報の送信元の隣接するスレーブ基地局３へ送信する。各スレーブ基地局３のエリア判定処理部７０は、隣接するスレーブ基地局３から送信された応答が受信された場合に、各々のスレーブ基地局３の基地局情報を応答に加えて他の隣接するスレーブ基地局３へ転送する。
【００５４】
基準スレーブ装置３ｘのエリア判定処理部７０は、隣接するスレーブ基地局３から送信された応答を受信した場合に、応答に含まれるスレーブ基地局３と基準スレーブ装置３ｘの基地局情報を含むエリアリストを生成する。エリア判定処理部７０は、エリアリストを含んだエリア構築完了通知をマスタ基地局２へ送信する。
【００５５】
移動局５が存在するセルをカバーするスレーブ基地局３の配信データ転送部７１は、マスタ基地局２から送信される配信データ送信要求が受信された場合に、配信データ送信要求を移動局５へ転送する。配信データ転送部７１は、移動局５から送信された配信データが受信された場合に、配信データをマスタ基地局２へ転送する。マスタ基地局２から配信データの配信を受けたスレーブ基地局３の配信データ転送部７１は、それぞれがカバーするセル内に存在する移動局６に配信データを配信する。
【００５６】
本実施例によれば、サービスエリアの範囲の大きさを特定するエリア情報転送要求を、移動局５からスレーブ基地局３へ送信すれば、情報配信サービスのサービスエリアが設定される。このため、移動局装置にデータを配信する情報配信サービスにおけるサービスエリアを、従来よりも簡便な処理で設定することができる。
【００５７】
本実施例では、サービスエリアの設定処理にて送受信されるメッセージ及び配信データは、基地局間ネットワーク及び無線接続回線、すなわち無線アクセスネットワーク内でのみ伝送される。このため、本実施例の情報配信システムは、無線アクセスネットワークよりも上位の公衆ネットワークやコアネットワークの負荷を生じさせないか、若しくは従来のシステムで生じさせる負荷よりも低減することができる。
【００５８】
なお、本情報配信サービスにおいて、予め登録された移動局装置６のみが配信データを受信してもよい。例えば、移動局装置６において配信データを受信するか否かを設定し、移動局装置６で受信を選択してもよい。以下に説明する他の実施例でも同様である。
【００５９】
他の実施例では、基準スレーブ基地局は、移動局５からエリア情報転送要求を受信するスレーブ基地局と別の基地局でもよい。この場合、エリア情報転送要求は、サービスエリアの範囲内の地点の位置情報を含む。マスタ基地局２のエリア構築処理部６０は、エリア情報転送要求の位置情報と、予め記憶したスレーブ基地局３の位置情報に基づいて、基準スレーブ基地局を選択してよい。この場合、移動局５は電子メールでエリア情報転送要求をマスタ基地局２に送信してもよい。以下に説明する他の実施例でも同様である。
【００６０】
マスタ基地局２のエリア構築処理部６０及び配信データ処理部６１は、サーバ装置３０に設けられてもよい。この場合に、スレーブ基地局３は、サーバ装置３０との間で通信を行うためのサーバインタフェースを備える。サーバ装置３０は、エリア情報転送要求、エリア構築要求、エリア構築完了通知、配信データ送信要求及び配信データを、スレーブ基地局３とやり取りして、サービスエリアの設定処理及び配信データの配信処理を実行してもよい。以下に説明する他の実施例でも同様である。
【００６１】
なお、上記の実施例では、マスタ基地局２とスレーブ基地局３が分かれていたが、全ての基地局がマスタ基地局２とスレーブ基地局３の機能を備えていてもよい。この場合でも、全ての基地局がサーバ装置３０とアクセスする必要はなく、いずれかの一部の基地局がサーバインタフェースを備えていればよい。以下に説明する他の実施例でも同様である。
【００６２】
＜２．第２実施例＞
続いて、他の実施例について説明する。上記の実施例では、移動局６はサービスエリア内に存在する場合に配信データを受信する。本実施例では、移動局６の加入者が、配信データの受信を所望するサービスエリアを予め登録する。移動局６がサービスエリア内に存在しなくても、移動局６に対応付けて登録されたサービスエリアに配信データを配信する時に、この移動局６へ配信データが電子メールで送信される。
【００６３】
図７は、移動局６に対応付けてサービスエリアを登録する移動局指定情報の例を示す図である。マスタ基地局２は、移動局指定情報を、サーバ装置３０又はマスタ基地局２内に格納してよい。移動局指定情報は、情報要素「移動局」及び「サービスエリア」を含む。情報要素「移動局」は、移動局６のメールアドレスを含む。情報要素「サービスエリア」は、配信データが配信されるサービスエリア内の基地局の基地局情報を含む。
【００６４】
図８は、データ配信処理の第２例の説明図である。オペレーションＢＡにおいて移動局６は、移動局６の加入者が配信データの受信を所望するサービスエリアを登録するエリア登録要求を送信する。エリア登録要求は、サービスエリアの範囲に対応する地理的位置情報を含む。オペレーションＢＢにおいて、移動局６が存在するセルをカバーする基地局の配信データ転送部７１は、エリア登録要求をマスタ基地局２に転送する。オペレーションＢＣにおいてマスタ基地局２の配信データ処理部６１は、エリア登録要求を送信した移動局６のメールアドレスと、エリア登録要求に含まれる地理的位置情報に対応する基地局情報とを対応付ける移動局指定情報を、サーバ装置３０の記憶装置に格納する。
【００６５】
以下に続くオペレーションＡＡ〜ＡＬの処理は、図３を参照して説明した処理と同様である。オペレーションＢＤにおいてマスタ基地局２の配信データ処理部６１は、配信データを配信する場合に、移動局指定情報により配信データの配信エリアのエリアリストに対応付けられた移動局６に対して、配信データを電子メールで送信する。
【００６６】
本実施例によれば、移動局６の加入者は、配信エリアを希望するサービスエリアの範囲外にいる間も、このサービスエリアで配信される配信データを受信することができる。
【００６７】
＜３．第３実施例＞
続いて、他の実施例について説明する。上述の実施例では、スレーブ基地局３間で転送される指定範囲情報のホップ数でサービスエリアの範囲を定めた。本実施例では、指定範囲情報で指定される基準位置と各スレーブ基地局３の位置との間の距離によって、各スレーブ基地局３がサービスエリアの範囲内であるか否かを定める。
【００６８】
図９は、サービスエリア構築処理の第２例の説明図である。オペレーションＤＡにおいて移動局５は、移動局５が存在するセルをカバーするスレーブ基地局３ｘへエリア情報転送要求を送信する。エリア情報転送要求は、サービスエリアの範囲を定めるための基礎情報として、サービスエリアの半径距離Ｒを含む。
【００６９】
オペレーションＤＢにおいてスレーブ基地局３ｘのエリア判定処理部７０は、基地局間ネットワークを経由してエリア情報転送要求をマスタ基地局２へ転送する。オペレーションＤＣにおいてマスタ基地局２のエリア構築処理部６０は、移動局５からエリア情報転送要求を受信したスレーブ基地局３ｘへ、基地局間ネットワークを経由してエリア構築要求を送信する。エリア構築要求は、サービスエリアの半径距離Ｒを含んでいてよい。
【００７０】
基準スレーブ基地局３ｘのエリア判定処理部７０は、既知の基準スレーブ基地局３ｘの位置をサービスエリアの基準位置として決定する。エリア判定処理部７０は、サービスエリアの基準位置と半径距離Ｒを含んだ指定範囲情報を生成する。オペレーションＤＤにおいてエリア判定処理部７０は、基地局間ネットワークを経由して、スレーブ基地局３ａ〜３ｃ、３ｂａ〜３ｂｃ、３ｂｂａ及び３ｂｂｂへ指定範囲情報をマルチキャスト送信する。本実施例では、指定範囲情報が伝送される基地局間ネットワークは、インターネットプロトコルネットワークであってよい。
【００７１】
スレーブ基地局３ａ〜３ｃのエリア判定処理部７０は、各々のスレーブ基地局３ａ〜３ｃの既知の位置情報に基づいて、各スレーブ基地局３ａ〜３ｃが、基準位置を中心とする半径距離Ｒの範囲内に位置するか否かを判断する。各スレーブ基地局３ａ〜３ｃが基準位置を中心とする半径距離Ｒの範囲内に位置する場合、エリア判定処理部７０は、各スレーブ基地局３ａ〜３ｃのセルがサービスエリアの範囲内に位置すると判断する。オペレーションＤＥにおいてエリア判定処理部７０は、基準スレーブ基地局３ｘへ、指定範囲情報に対する応答を送信する。
【００７２】
スレーブ基地局３ｂａ〜３ｂｃ、スレーブ基地局３ｂｂａ及び３ｂｂｂのエリア判定処理部７０も同様に、夫々の基地局のセルがサービスエリアの範囲内に位置するか否かを判断する。スレーブ基地局３ｂａ〜３ｂｃの位置が、基準位置を中心とする半径距離Ｒの範囲内に位置する場合、これらの基地局のエリア判定処理部７０は、各スレーブ基地局３ｂａ〜３ｂｃのセルがサービスエリアの範囲内に位置すると判断する。オペレーションＤＦにおいてエリア判定処理部７０は、基準スレーブ基地局３ｘへ、指定範囲情報に対する応答を送信する。
【００７３】
一方で、スレーブ基地局３ｂｂａ及び３ｂｂｂの位置が、基準位置を中心とする半径距離Ｒの範囲内にない場合、これらの基地局のエリア判定処理部７０は、各スレーブ基地局３ｂｂａ及び３ｂｂｂのセルがサービスエリアの範囲内にないと判断する。この場合、これらの基地局のエリア判定処理部７０は、指定範囲情報に対する応答を送信しない。
【００７４】
以下に続くオペレーションＡＨ〜ＡＬ以降の処理は、図３を参照して説明したオペレーションＡＨ〜ＡＬの処理と同様である。オペレーションＤＥ及びＤＦの応答によって、サービスエリアの範囲を示すエリアリストは、スレーブ基地局３、３ａ〜３ｃ及び３ｂａ〜３ｂｃの基地局情報を含む。
【００７５】
なお、上記実施例では移動局５は、サービスエリアの半径距離Ｒをエリア情報転送要求で指定した。他の実施例では、半径距離Ｒはシステムで定められた所定の設定値であってもよい。この場合、エリア情報転送要求における半径距離Ｒの指定は不要である。
【００７６】
また、上記実施例では、基準スレーブ基地局３ｘの位置を基準位置として定めた。他の実施例では、移動局５がエリア情報転送要求にて指定する位置を基準位置としてもよい。この場合、移動局５は電子メールでエリア情報転送要求をマスタ基地局２に送信してもよい。以下に説明する他の実施例でも同様である。
【００７７】
本実施例によれば、サービスエリアの範囲は、基準位置と各スレーブ基地局３との間の距離によって決定される。したがって、本実施例によれば、基地局間ネットワークのトポロジに影響されずにサービスエリアを定めることが可能になる。
【００７８】
＜４．第４実施例＞
続いて、他の実施例について説明する。上述の第３実施例では、移動局６がサービスエリアの範囲内に存在しても、移動局６が存在するセルをカバーするスレーブ基地局３がサービスエリアの範囲に存在しなければ、このスレーブ基地局３から配信データが配信されない。
【００７９】
本実施例では、スレーブ基地局３と移動局６との間の通信可能範囲がサービスエリアの範囲に届く場合には、このスレーブ基地局３から配信データを配信する。図１０は、サービスエリア構築処理の第３例の説明図である。参照符号１００は、基準位置を中心とする半径距離Ｒのサービスエリアの範囲を示す。参照符号１０１は、移動局６との間の通信可能距離がｒｃであるスレーブ基地局３の通信可能範囲を示す。通信可能範囲１０１はセル範囲と同じであってよい。
【００８０】
スレーブ基地局３のエリア判定処理部７０は、基準位置とスレーブ基地局３の位置との間の距離Ｄから通信可能距離ｒｃを引いた長さが半径距離Ｒ以下である場合には、スレーブ基地局３がカバーするセルがサービスエリアの範囲内に位置すると判断する。そうでない場合にエリア判定処理部７０は、スレーブ基地局３がカバーするセルがサービスエリアの範囲内に位置しないと判断する。
【００８１】
本実施例によれば、スレーブ基地局３がサービスエリアの範囲外に位置していても、スレーブ基地局３がカバーするセル内に存在する移動局６へ配信データが配信されるようになる。この結果、より確実にサービスエリア内へ配信データを送信できるようになる。
【００８２】
＜５．第５実施例＞
続いて、他の実施例について説明する。図１０を参照して説明した第４実施例では、サービスエリアの範囲外に位置する移動局６であっても、スレーブ基地局３の通信可能範囲１０１にいる場合には配信データを受信する。本実施例のスレーブ基地局３は、スレーブ基地局３と移動局６との間の通信可能範囲がサービスエリアの範囲に届かない方位に対するデータ配信を低減する。
【００８３】
図１１の（Ａ）は、スレーブ基地局３の通信可能範囲１０１の模式図である。スレーブ基地局３の通信可能範囲１０１は、異なる方位の範囲を含む複数の範囲に分割される。各方位毎に、その方位におけるスレーブ基地局３と移動局６との間の通信可能距離ｒｃが予め定められ、スレーブ基地局３のメモリ２１に格納される。
【００８４】
図１１の（Ｂ）は、サービスエリア構築処理の第４例の説明図である。スレーブ基地局３のエリア判定処理部７０は、基準位置とスレーブ基地局３の位置との間の距離Ｄ、スレーブ基地局３から見た基準位置の方位を決定する。エリア判定処理部７０は、決定された方位における通信可能距離ｒｃを基準位置とスレーブ基地局３の位置との間の距離Ｄから引いた長さが半径距離Ｒ以下となる方位の範囲１０２を決定する。エリア判定処理部７０は、方位の範囲１０２内のセルに配信データを配信し、他の方位のセルには配信データを配信しない。
【００８５】
本実施例によれば、サービスエリア範囲外に位置する移動局６へのデータ配信が低減される。その結果、スレーブ基地局３の消費電力が節約でき、またサービスエリア範囲外に位置する移動局６による無駄な受信処理を防止できる。
【００８６】
以上の実施例を含む実施形態に関し、更に以下の付記を開示する。
（付記１）
基地局間ネットワークを形成する基地局装置であって、
指定範囲を示す指定範囲情報を、前記基地局間ネットワークを経由して前記基地局装置から他の基地局装置へ送信する指定範囲送信処理と、
前記基地局装置が送信した指定範囲情報に対する他の基地局装置の応答を検出する検出処理と、
前記基地局装置が送信した指定範囲情報に応答する他の基地局装置がカバーするセルのセル情報を、移動局装置への配信データを基地局装置に配信するデータ配信装置へ、前記基地局間ネットワークを経由して送信するセル情報送信処理と、
を実行する制御部を備えることを特徴とする基地局装置。
（付記２）
前記制御部はさらに、他の基地局装置から指定範囲情報を受信した場合に、前記基地局装置がカバーするセルが受信された指定範囲内にあるか否かを判定する判定処理と、
前記基地局装置がカバーするセルが他の基地局装置から受信した指定範囲内にある場合に、前記指定情報の送信元の他の基地局装置へ前記基地局間ネットワークを経由して応答する応答処理と、
を実行することを特徴とする付記１に記載の基地局装置。
（付記３）
前記制御部はさらに、隣接基地局装置から受信した前記指定範囲情報を他の隣接基地局装置に転送する転送処理を実行し、
前記指定範囲情報は、基地局装置間で転送されたホップ数を示し、
前記判定処理において前記制御部は、前記指定範囲情報のホップ数に応じて前記基地局装置がカバーするセルが指定範囲内にあるか否かを判定することを特徴とする付記２に記載の基地局装置。
（付記４）
前記指定範囲情報は、前記指定範囲の基準位置の位置情報と指定範囲の半径を示す距離情報を含み、
前記判定処理において前記制御部は、前記基地局装置の位置と前記基準位置との間の距離と指定範囲の半径に応じて、前記基地局装置がカバーするセルが指定範囲内にあるか否かを判定することを特徴とする付記２に記載の基地局装置。
（付記５）
前記判定処理において前記制御部は、前記基地局装置と前記基準位置との間の距離から前記基地局装置と移動局装置との間の通信可能距離を減算した長さが、前記半径以下である場合に、前記基地局装置がカバーするセルが指定範囲内にあると判断することを特徴とする付記４に記載の基地局装置。
（付記６）
前記判定処理において前記制御部は、方位毎に異なる通信可能距離に応じて前記基地局装置がカバーするセルが指定範囲内にあるか否かを判定することを特徴とする付記５に記載の基地局装置。
（付記７）
前記制御部は、前記基地局装置と前記基準位置との間の距離から前記基地局装置と移動局装置との間の通信可能距離を減算した長さが、前記半径以下となる方位のセルにのみ前記配信データを配信することを特徴とする付記６に記載の基地局装置。
（付記８）
前記位置情報は、前記指定範囲情報を送信する基地局装置の位置情報であることを特徴とする付記４〜７のいずれか一項に記載の基地局装置。
（付記９）
複数の基地局装置と、データ配信装置と、前記複数の基地局装置及び前記データ配信装置とを接続する基地局間ネットワークと、を含み、
前記基地局装置は、
指定範囲を示す指定範囲情報を、前記基地局間ネットワークを経由して前記基地局装置から他の基地局装置へ送信する指定範囲送信処理と、
前記基地局装置が送信した指定範囲情報に対する他の基地局装置の応答を検出する検出処理と、
前記基地局装置が送信した指定範囲情報に応答する他の基地局装置がカバーするセルのセル情報を、前記基地局間ネットワークを経由して前記データ配信装置へ送信するセル情報送信処理と、
を実行する制御部を備え、
前記データ配信装置は、前記基地局間ネットワークを経由して移動局装置への配信データを基地局装置に配信する処理を実行する制御部を備えることを特徴とする通信システム。
（付記１０）
前記基地局装置の制御部はさらに、他の基地局装置から指定範囲情報を受信した場合に、前記基地局装置がカバーするセルが受信された指定範囲内にあるか否かを判定する判定処理と、
前記基地局装置がカバーするセルが他の基地局装置から受信した指定範囲内にある場合に、前記指定情報の送信元の他の基地局装置へ前記基地局間ネットワークを経由して応答する応答処理と、
を実行することを特徴とする付記９に記載の通信システム。
（付記１１）
前記データ配信装置の制御部は、
前記複数の基地局装置の中の第１の基地局装置が移動局装置から受信した、前記指定範囲の基準位置に関する情報を受信する処理と、
前記基準位置に対応する、前記複数の基地局装置の中の第２の基地局装置を特定する処理と、
前記第２の基地局の制御部に通知する処理と、
を実行し、
前記第２の基地局装置の制御部は、前記データ配信装置からの通知に対応して前記指定範囲送信処理を実行する付記９又は１０に記載の通信システム。
（付記１２）
前記データ配信装置は、
前記セルと移動局装置とを対応付ける移動局指定情報を格納する記憶部を備え、
前記セル情報が指定するセルに対して前記移動局指定情報が対応付ける移動局装置に、前記配信データを送信する付記９〜１１のいずれか一項に記載の通信システム。
（付記１３）
基地局間ネットワークを形成する基地局装置が備える制御部に、
指定範囲を示す指定範囲情報を、前記基地局間ネットワークを経由して前記基地局装置から他の基地局装置へ送信する指定範囲送信処理と、
前記基地局装置が送信した指定範囲情報に対する他の基地局装置の応答を検出する検出処理と、
前記基地局装置が送信した指定範囲情報に応答する他の基地局装置がカバーするセルのセル情報を、移動局装置への配信データを基地局装置に配信するデータ配信装置へ、前記基地局間ネットワークを経由して送信するセル情報送信処理と、
を実行させるデータ配信方法。
（付記１４）
他の基地局装置から指定範囲情報を受信した場合に、前記基地局装置がカバーするセルが受信された指定範囲内にあるか否かを判定する判定処理と、
前記基地局装置がカバーするセルが他の基地局装置から受信した指定範囲内にある場合に、前記指定情報の送信元の他の基地局装置へ前記基地局間ネットワークを経由して応答する応答処理と、
をさらに前記制御部に実行させることを特徴とする付記１３に記載のデータ配信方法。
【符号の説明】
【００８７】
１    通信システム
２    マスタ基地局
３、３ａ〜３ｅ、３ｘ、３ｂａ〜３ｂｃ、３ｂｂａ、３ｂｂｂ    スレーブ基地局
５、６、６ａ〜６ｃ    移動局
【図１】
0005861025.tif 000002
【図２】
0005861025.tif 000003
【図３】
0005861025.tif 000004
【図４】
0005861025.tif 000005
【図５】
0005861025.tif 000006
【図６】
0005861025.tif 000007
【図７】
0005861025.tif 000008
【図８】
0005861025.tif 000009
【図９】
0005861025.tif 000010
【図１０】
0005861025.tif 000011
【図１１】
0005861025.tif 000012